(57)【要約】【課題】サブ側にて選択中の再生源からメディアが排出されたにも関わらず、メイン側のユーザにリア側スピーカの再生出力を提供することができない。【解決手段】複数の再生源と、これら複数の再生源の内、任意の再生源を選択して、この任意の再生源からの再生信号を再生出力するスピーカ１５及びヘッドホン１６と、スピーカ及びヘッドホンの再生出力を制御する制御部５０とを有し、この制御部は、複数の再生源の内、任意の再生源からの再生信号をスピーカに再生出力しながら、任意の再生源以外の再生源からの再生信号をヘッドホンに再生出力するデュアルモードＯＮ中に、リア側スピーカ１５Ｂをミュートする本体装置１１であって、制御部は、デュアルモードＯＮ中に、再生源監視部５１にてヘッドホンに再生出力中の再生源からのメディアの排出を検出すると、ミュート中のリア側スピーカ１５Ｂのミュートを解除するようにした。【選択図】  図３
2004234725.tif 000002
【特許請求の範囲】
【請求項１】
複数の再生源と、これら複数の再生源の内、任意の再生源を選択して、この任意の再生源からの再生信号を再生出力する第１出力手段及び第２出力手段と、前記第１出力手段及び第２出力手段の再生出力を制御する制御手段とを有し、この制御手段は、前記複数の再生源の内、任意の再生源からの再生信号を前記第１出力手段に再生出力しながら、前記任意の再生源以外の再生源からの再生信号を前記第２出力手段に再生出力するシステムモード中に、前記第１出力手段の出力の一部をミュートするオーディオ装置であって、
各再生源の再生停止状態を検出する再生停止検出手段を有し、
前記制御手段は、
前記システムモード中に、前記第２出力手段に再生出力中の再生源の再生停止状態を前記再生停止検出手段にて検出すると、前記ミュート中の前記第１出力手段の出力の一部のミュートを解除することを特徴とするオーディオ装置。
【請求項２】
前記第１出力手段は、
前記再生信号を車室内のフロント側に配置されたフロント側スピーカ及びリア側に配置されたリア側スピーカを有し、
前記第２出力手段は、
前記再生信号を車室内のリア側に配置されたヘッドホンを有し、
前記制御手段は、
前記システムモード中において前記第１出力手段のリア側スピーカをミュート制御することを特徴とする請求項１記載のオーディオ装置。
【請求項３】
前記再生停止検出手段は、
前記複数の再生源の内、記録媒体を再生する再生源からの記録媒体の排出に基づき再生停止状態を検出することを特徴とする請求項１又は２記載のオーディオ装置。
【発明の詳細な説明】
【０００１】
【発明の属する技術分野】
本発明は、例えばＣＤ、ＭＤ、ＤＶＤ等の記録媒体の再生機能やＡＭ／ＦＭラジオ放送等の受信機能等の再生源と、各再生源からの再生信号を再生出力する複数のスピーカやヘッドホンとを有し、これらスピーカ及びヘッドホン双方で異なる再生源からの再生信号を同時に再生出力することができる機能、例えばデュアルメディア機能を備えたオーディオ装置に関する。
【０００２】
【従来の技術】
近年、このようなオーディオ装置としては、デュアルメディア機能を備えた車載用オーディオシステムが知られている。
【０００３】
このようなデュアルメディア機能を備えた車載用オーディオシステムとしては、複数のスピーカを有し、複数の再生源からの再生信号を同時に再生可能とし、各スピーカの指向性を可変としたものがある（例えば特許文献１）。
【０００４】
では、このような一般的なデュアルメディア機能を備えた車載用オーディオシステムの一例を、図面を用いて説明する。図６は一般的なデュアルメディア機能を備えた車載用オーディオシステムの全体構成を示すシステム構成図である。
【０００５】
図６に示す車載用オーディオシステム２００は、車室内のフロント側に配置され、例えばＣＤ再生機能やＡＭ／ＦＭラジオ等の受信機能を含む複数の再生源を含む内部ソースを備えた本体装置２０１と、フロント側で本体装置２０１を操作するフロント側操作部２０２と、車室内のリア側で本体装置２０１を遠隔操作するリア側操作部２０３と、本体装置２０１と接続し、内部ソースからの再生信号を再生出力するスピーカ２０４と、本体装置２０１と接続し、内部ソースからの再生信号を、リア側操作部２０３を経由して再生出力するヘッドホン２０５とを有している。
【０００６】
スピーカ２０４は、フロント側に配置された２台のフロント側スピーカ２０４Ａと、リア側に配置された２台のリア側スピーカ２０４Ｂとで構成している。また、ヘッドホン２０５は、リア側に配置されるものとする。
【０００７】
尚、フロント側操作部２０２は、フロント側に配置された本体装置２０１の前面パネルに相当し、リア側操作部２０３は、本体装置２０１と有線接続し、リア側に配置されたリモコン操作部に相当するものである。また、フロント側操作部２０２は、音量調整等の様々な操作内容等の情報を表示する表示部等を備えている。
【０００８】
また、フロント側操作部２０２及びリア側操作部２０３には、複数の再生源の内、任意の再生源を選択する再生モード選択キー（以下、単にＭＯＤＥキーと称する）、予め登録したラジオ放送局の受信周波数をワンタッチ操作で受信することができるプリセットキー等を有している。
【０００９】
また、フロント側操作部２０２及びリア側操作部２０３は、様々な動作キーを有し、例えばＣＤモード中においてＣＤのトラックを選択再生するトラックＵＰ／ＤＯＷＮキーや、例えばラジオの受信周波数をシーク受信するシークＵＰ／ＤＯＷＮキーや、ＣＤ再生中に、そのＣＤ再生を一時停止したり、ラジオ放送の音声出力をミュートするミュート／ポーズキー等がある。
【００１０】
また、本体装置２０１では、デュアルメディア機能を有し、フロント側操作部２０２からの所定操作に応じてデュアルモードをＯＮ／ＯＦＦするものである。
【００１１】
デュアルモードＯＦＦ中の本体装置２０１では、複数の再生源から任意の同一再生源を選択し、この再生源からの再生信号をスピーカ２０４及びヘッドホン２０５に再生出力するものである。
【００１２】
また、デュアルモードＯＮ中の本体装置２０１では、スピーカ２０４及びヘッドホン２０５の音声出力系統をメイン側及びサブ側の２つに切り分け、複数の再生源の内、任意の再生源をメイン側で選択すると共に、前記複数の再生源の内、任意の再生源以外の他の再生源をサブ側で選択し、選択した任意再生源からの再生信号をスピーカ２０４のフロント側スピーカ２０４Ａに再生出力しながら、他の再生源からの再生信号をヘッドホン２０５に再生出力するものである。
【００１３】
尚、デュアルモードＯＮ中にメイン側及びサブ側双方で異なる再生源を再生出力するような場合、ヘッドホン２０５にスピーカ２０４からの音声信号が混入しないようにリア側スピーカ２０４Ｂの音声出力はミュートするものとする。
【００１４】
本体装置２０１では、例えばフロント側（メイン側）の搭乗者がラジオモード、リア側（サブ側）の搭乗者がＣＤモードといったように異なる再生源からの再生信号の提供を求めた場合、フロント側操作部２０２を所定操作することでデュアルモードＯＮに設定し、フロント側（メイン側）ではラジオチューナからの再生信号をフロント側スピーカ２０４Ａから音声出力し、リア側（サブ側）ではＣＤ再生部からの再生信号をヘッドホン２０５から音声出力することができる。
【００１５】
つまり、フロント側（メイン側）の搭乗者とリア側（サブ側）の搭乗者とは、スピーカ２０４及びヘッドホン２０５を通じて、夫々異なる再生源からの再生信号を受聴することができる。
【００１６】
このようなデュアルメディア機能を備えた車載用オーディオシステム２００によれば、フロント側操作部２０２の所定操作に応じてデュアルモードＯＮに設定可能とし、このデュアルモードＯＮ中においては、フロント側スピーカ２０４Ａ及びヘッドホン２０５を通じて、異なる再生源からの再生信号をメイン側及びサブ側に夫々提供するようにしたので、フロント側（メイン側）及びリア側（サブ側）の搭乗者は、夫々異なる再生源からの再生信号を受聴することができる。尚、この車載用オーディオシステム２００においては、デュアルモードＯＮ中にフロント側（メイン側）及びリア側（サブ側）で同一再生源を選択可能とし、同一再生源からの再生信号をフロント側（メイン側）及びリア側（サブ側）に夫々提供することができることは言うまでもない。
【００１７】
また、このようなデュアルメディア機能を備えた車載用オーディオシステム２００によれば、デュアルモードＯＮ中においてもフロント側操作部２０２及びリア側操作部２０３からのキー操作を全て有効に受け付けていたので、フロント側（メイン側）の搭乗者及びリア側（サブ側）の搭乗者は、これらフロント側操作部２０２及びリア側操作部２０３を通じて所望の動作を得ることができる。
【００１８】
また、このようなデュアルメディア機能を備えた車載用オーディオシステム２００によれば、電話割込み機能を有し、この電話割込み機能で電話機の使用を検出すると、自動的にミュート／ポーズ機能を起動して音声出力中の再生信号を出力停止状態にすることで、その電話機の使用環境を良好にすることができる。
【００１９】
【特許文献１】
特開平１１−７５２８４号（図１及び要約書参照）
【００２０】
【発明が解決しようとする課題】
しかしながら、上記従来の車載用オーディオシステム２００によれば、例えばデュアルモードＯＮ中にスピーカ２０４の再生出力がヘッドホン２０５に混入しないようにリア側スピーカ２０４Ｂの再生出力をミュートするようにしたが、例えばサブ側にて選択中のＣＤ再生部からメディア（ＣＤ）が排出されると、再びメディアがＣＤ再生部に挿入されるか、又は他の再生源が選択されるまで、サブ側での再生出力はできなくなる、つまり選択中の再生源が再生停止状態になることから、メイン側ではフロント側スピーカ２０４Ａはもちろんのこと、リア側スピーカ２０４Ｂをも使用することができるに関わらず、リア側スピーカ２０４Ｂをミュートしたまま、フロント側スピーカ２０４Ａからのみ再生出力するようにしたので、メイン側のユーザにリア側スピーカの再生出力を提供することができない。
【００２１】
本発明は上記点に鑑みてなされたものであり、その目的とするところは、システムモード（デュアルモードＯＮ）中に、第２出力手段（ヘッドホン）に再生出力中の再生源から記録媒体（メディア）が排出されるような、再生源が再生停止状態となる場合には、何等操作を行わずとも、第１出力手段（スピーカ）の全出力から再生出力することができるオーディオ装置を提供することにある。
【００２２】
【課題を解決するための手段】
上記目的を達成するために本発明のオーディオ装置は、複数の再生源と、これら複数の再生源の内、任意の再生源を選択して、この任意の再生源からの再生信号を再生出力する第１出力手段及び第２出力手段と、前記第１出力手段及び第２出力手段の再生出力を制御する制御手段とを有し、この制御手段は、前記複数の再生源の内、任意の再生源からの再生信号を前記第１出力手段に再生出力しながら、前記任意の再生源以外の再生源からの再生信号を前記第２出力手段に再生出力するシステムモード中に、前記第１出力手段の出力の一部をミュートするオーディオ装置であって、各再生源の再生停止状態を検出する再生停止検出手段を有し、前記制御手段は、前記システムモード中に、前記第２出力手段に再生出力中の再生源の再生停止状態を前記再生停止検出手段にて検出すると、前記ミュート中の前記第１出力手段の出力の一部のミュートを解除するようにした。
【００２３】
従って、本発明のオーディオ装置によれば、システムモード中に、前記第２出力手段に再生出力中の再生源の再生停止状態を検出すると、このシステムモードにてミュート中の第１出力手段の出力の一部ミュートを自動的に解除するようにしたので、何等操作を行わずとも、第１出力手段の全出力から再生出力することができる。
【００２４】
本発明のオーディオ装置は、前記第１出力手段が、前記再生信号を車室内のフロント側に配置されたフロント側スピーカ及びリア側に配置されたリア側スピーカを有し、前記第２出力手段は、前記再生信号を車室内のリア側に配置されたヘッドホンを有し、前記制御手段は、前記システムモード中において前記第１出力手段のリア側スピーカをミュート制御するようにした。
【００２５】
従って、本発明のオーディオ装置によれば、システムモード中に、ヘッドホンに再生出力中の再生源の再生停止状態を検出すると、このシステムモードにてミュート中のリア側スピーカのミュートを自動的に解除するようにしたので、何等操作を行わずとも、フロント側スピーカ及びリア側スピーカ双方から再生出力することができる。
【００２６】
本発明のオーディオ装置は、前記再生停止検出手段が、前記複数の再生源の内、記録媒体を再生する再生源からの記録媒体の排出に基づき再生停止状態を検出するようにした。
【００２７】
従って、本発明のオーディオ装置によれば、システムモード中に、前記第２出力手段に再生出力中の再生源からの記録媒体の排出を検出すると、このシステムモードにてミュート中の第１出力手段の出力の一部ミュートを自動的に解除するようにしたので、何等操作を行わずとも、第１出力手段の全出力から再生出力することができる。
【００２８】
【発明の実施の形態】
以下、図面に基づいて本発明のオーディオ装置における実施の形態を示すデュアルメディア機能を備えた車載用オーディオシステムについて説明する。図１は本実施の形態を示す車載用オーディオシステムの全体構成を示すシステム構成図である。
【００２９】
図１に示す車載用オーディオシステム１は、車室内のフロント側に配置され、例えばＣＤ再生機能やＡＭ／ＦＭラジオ等の受信機能を含む複数の再生源である内部ソース１１Ａを備えた本体装置１１と、この本体装置１１とバス接続し、例えばＣＤチェンジャやＤＶＤ再生部等の複数の外部機器再生源である外部ソース１２と、フロント側で本体装置１１を操作するフロント側操作部１３と、車室内のリア側で本体装置１１を遠隔操作するリア側操作部１４と、本体装置１１と接続し、この本体装置１１の再生源からの再生信号を音声出力するスピーカ１５と、本体装置１１と接続し、この本体装置１１の再生源からの再生信号を、リア側操作部１４を経由して音声出力するヘッドホン１６とを有している。
【００３０】
スピーカ１５は、フロント側に配置された２台のフロント側スピーカ１５Ａと、リア側に配置された２台のリア側スピーカ１５Ｂとで構成している。また、ヘッドホン１６は、リア側に配置されるものとする。
【００３１】
また、再生源としては、後述するように、ＣＤ再生機能、ＭＤ再生機能やＡＭ／ＦＭラジオ機能を有している。
【００３２】
尚、フロント側操作部１３は、フロント側に配置された本体装置１１の前面パネルに相当し、リア側操作部１４は、リア側に配置されたリモコン操作部に相当するものである。図２はフロント側操作部１３の正面図である。
【００３３】
図２に示すフロント側操作部１３は、様々な情報を表示する表示部２１と、様々な情報を点灯表示するＬＥＤインジケータ２２と、様々な指令を入力するキー操作部２３とを有している。
【００３４】
キー操作部２３は、後述するデュアルモードをＯＮ／ＯＦＦするデュアルモードキー２３Ａと、後述するメイン側操作モード又はサブ側操作モードを設定する操作モード設定キー２３Ｂと、内部ソース１１Ａ又は外部ソース１２内の複数の再生源の内、任意の再生源を選択するソースモード選択キー２３Ｃ等とを有している。尚、このキー操作部２３には様々な動作キーを有し、例えばＣＤモード中においてＣＤのトラックを選択再生するトラックＵＰ／ＤＯＷＮキーや、例えばラジオの受信周波数をシーク受信するシークＵＰ／ＤＯＷＮキーや、ＣＤ再生中に、そのＣＤ再生をミュート又は一時停止したり、ラジオ放送の音声出力をミュートするミュート／ポーズキー等もある。
【００３５】
ＬＥＤインジケータ２２は、メイン側操作モードが設定中であることを示すメイン側操作モード用ＬＥＤ２２Ａと、サブ側操作モードが設定中であることを示すサブ側操作モード用ＬＥＤ２２Ｂ等とを有している。
【００３６】
表示部２１は、キー操作部２３に対応した様々な操作内容を画面表示するものであり、例えば音量調整キーがキー操作された場合、音量レベルが表示画面上にインジケータ表示され、このインジケータ表示でユーザの操作内容を視覚的に認識することができるものである。
【００３７】
また、リア側操作部１４は、様々な指令を入力するキー機能を備えているものの、様々な情報を表示する表示機能は備えていないものとする。
【００３８】
本体装置１１では、デュアルメディア機能を有し、前述したようにフロント側操作部１３のデュアルモードキー２３Ａのキー操作を検出すると、デュアルモードをＯＮ／ＯＦＦするものである。尚、デュアルモードＯＮ中は、スピーカ１５及びヘッドホン１６の音声出力系統をメイン側及びサブ側に切り分け、デュアルモードＯＦＦ中は、これらメイン側及びサブ側の切り分けをしない。また、デュアルモードＯＮ中においては、スピーカ１５側で音声出力する再生源をメイン側ソース、ヘッドホン１６側で音声出力する再生源をサブ側ソースとする。
【００３９】
デュアルモードＯＦＦ中の本体装置１１は、複数の再生源から同一の再生源をスピーカ１５及びヘッドホン１６に選択し、同再生源からの再生信号をスピーカ１５及びヘッドホン１６に音声出力するものである。
【００４０】
また、デュアルモードＯＮ中の本体装置１１は、メイン側及びサブ側の切り分けを行い、複数の再生源の内、一の再生源をスピーカ１５に選択し、異なる再生源をヘッドホン１６に選択し、一の再生源からの再生信号をスピーカ１５で音声出力しながら、他の再生源からの再生信号をヘッドホン１６で音声出力するものである。尚、デュアルモードＯＮ中においては、音声出力系統をメイン側及びサブ側に切り分けしてメイン側及びサブ側双方で再生源を選択するようにしたが、当然、メイン側又はサブ側の内のいずれか一方のみで再生源を選択するようにしても良いことは言うまでもない。
【００４１】
また、本体装置１１では、デュアルモードＯＮ中に操作モード設定キー２３Ｂのキー操作を検出すると、メイン側操作モード又はサブ側操作モードに切替設定し、このメイン側操作モードが設定されると、フロント側操作部１３でメイン側ソースを操作することができ、サブ側操作モードが設定されると、フロント側操作部１３でサブ側ソースを操作することができるものである。
【００４２】
本体装置１１では、例えばフロント側の搭乗者がＣＤ再生部、リア側の搭乗者がＣＤチェンジャといったように異なる再生源の提供を求めた場合、フロント側操作部１３のデュアルモードキー２３ＡをＯＮ操作することでデュアルモードをＯＮに設定し、フロント側搭乗者が所望するＣＤ再生部からの再生信号をスピーカ１５から音声出力し、リア側搭乗者が所望するＣＤチェンジャからの再生信号をヘッドホン１６から音声出力することができる。つまり、フロント側搭乗者とリア側搭乗者とは、スピーカ１５及びヘッドホン１６を通じて夫々異なる再生源からの音声信号の提供を受けることができる。この際、ヘッドホン１６に隣接するスピーカ１５、すなわちリア側スピーカ１５Ｂは、リア側スピーカ１５Ｂからの音声出力がヘッドホン１６に混入しないように、その音声出力をミュートするものである。
【００４３】
図３は本実施の形態に関わる本体装置１１内部の概略構成を示すブロック図である。
【００４４】
図３に示す本体装置１１は、外部ソース１２内の複数の再生源と外部接続する外部接続部３１と、内部ソース１１Ａ内の複数の再生源、例えばＣＤ再生部３２Ａ、ＭＤ再生部３２Ｂやラジオチューナ部３２Ｃと、内部ソース１１Ａ又は外部ソース１２内の複数の再生源の内、スピーカ１５（メイン側）へ音声出力する再生信号の再生源を選択するメイン側セレクタ３３と、これら複数の再生源の内、ヘッドホン１６（サブ側）へ音声出力する再生信号の再生源を選択するサブ側セレクタ３４と、メイン側セレクタ３３にて選択したスピーカ１５（メイン側）への再生信号をミュート制御するメイン側ミュート回路３５と、リア側スピーカ１５Ｂへの再生信号をミュート制御するリアスピーカ側ミュート回路３６と、サブ側セレクタ３４にて選択したヘッドホン１６（サブ側）への再生信号をミュート制御するサブ側ミュート回路３７と、フロント側操作部１２と、この本体装置１１に関わる様々な情報を記憶するメモリ部３８と、この本体装置１１全体を制御するマイコン３９とを有している。
【００４５】
尚、メイン側ミュート回路３５、リアスピーカ側ミュート回路３６及びサブ側ミュート回路３７のミュート制御として、例えばミュートＯＮの場合、その再生出力をミュート状態とし、ミュートＯＦＦの場合、その再生出力をミュート解除するものである。
【００４６】
また、本体装置１１は、各再生源に対応した再生モードを有し、前述したソースモード選択キー２３Ｃで切換選択可能である。尚、再生モードとしては、内部ソース１１Ａの再生源によるＣＤモード、ＭＤモードやラジオモードの他に、外部ソース１２の再生源によるＤＶＤモードやＣＤチェンジャモード等がある。
【００４７】
図４は本実施の形態に関わる本体装置１１の要部であるマイコン３９内部の概略構成を示すブロック図である。
【００４８】
マイコン３９は、例えばＣＤモード、ＭＤモード、ラジオモードやＤＶＤモード等の再生モードに関わる設定内容を記憶した再生モード設定メモリ４１と、ソースモード選択キー２３Ｃの選択操作に応じて再生モードを設定する再生モード設定部４２と、デュアルモードキー２３Ａの操作に応じてデュアルモードをＯＮ／ＯＦＦするデュアルモード設定部４３と、再生モード設定部４２にて設定した再生モードに基づいてメイン側セレクタ３３及びサブ側セレクタ３４をセレクタ制御するセレクタ制御部４４と、メイン側セレクタ３３からスピーカ１５（メイン側）への再生信号をミュート制御するメイン側ミュート回路３５及びリアスピーカ側ミュート回路３６を制御すると共に、サブ側セレクタ３４からヘッドホン１６（サブ側）への再生信号をミュート制御するサブ側ミュート回路３７を制御するミュート制御部４５と、現在選択中の再生源によるミュート／ポーズ状態を監視するミュート／ポーズ監視部４６と、フロント側操作部１３及びリア側操作部１４のキー操作を検出する操作検出部４７と、フロント側操作部１３の表示部２１及びＬＥＤインジケータ２２を表示制御する表示制御部４８と、本体装置１１と接続する電話機の使用を示す電話割込み信号を検出する電話割込検出部４９と、現在設定中の再生モードに関わる再生源の動作を監視する再生源監視部５１と、このマイコン３９全体を制御する制御部５０とを有している。
【００４９】
制御部５０は、例えばデュアルモードＯＮ中に、電話割込検出部４９にて電話割込み信号を検出すると、メイン側の音声出力系統、すなわちスピーカ１５の音声出力をミュートＯＮするようにミュート制御部４５を制御するものである。
【００５０】
本体装置１１では、例えばデュアルモードＯＮ中にメイン側でＣＤモード、サブ側でＤＶＤモードが選択されると、セレクタ制御部４４を制御することで、メイン側セレクタ３３にて内部ソース１１Ａ内のＣＤ再生部３２Ａを選択出力し、さらにサブ側セレクタ３４にて外部ソース１２内のＤＶＤ再生部を選択出力すると共に、さらに、ミュート制御部４５を制御することで、メイン側ミュート回路３５及びサブ側ミュート回路３７をＯＦＦ制御し、リアスピーカ側ミュート回路３６をＯＮ制御するものである。つまり、メイン側のフロント側搭乗者は、ＣＤ再生部からの再生信号をフロント側スピーカ１５Ａにて受聴することができ、サブ側のリア側搭乗者は、ＤＶＤ再生部からの再生信号をヘッドホン１６にて受聴することができる。
【００５１】
また、本体装置１１では、デュアルモードＯＮ中にメイン側及びサブ側で同一の再生源を再生出力することも可能であり、セレクタ制御部４４を制御することで、メイン側セレクタ３３及びサブ側セレクタ３４にて同一再生源を選択出力すると共に、さらにミュート制御部４５を制御することで、メイン側ミュート回路３５及びサブ側ミュート回路３７をＯＦＦ制御し、リアスピーカ側ミュート回路３６をＯＮ制御するものである。つまり、メイン側のフロント側搭乗者はフロント側スピーカ１５Ａにて、サブ側のリア側搭乗者はヘッドホン１６にて同再生源からの再生信号を夫々受聴することができる。尚、リア側搭乗者は、当然のことながら、ヘッドホン１６を使用しなくても、フロント側スピーカ１５Ａからでも同一再生源からの再生信号を受聴することができる。
【００５２】
尚、本願請求項記載のオーディオ装置は本体装置１１、第１出力手段はスピーカ１５、第２出力手段はヘッドホン１６、制御手段は制御部５０、再生停止検出手段は再生源監視部５１に相当するものである。
【００５３】
次に本実施の形態を示す車載用オーディオシステム１の動作について説明する。図５は本実施の形態に関わる本体装置１１のサブ側ソースＯＦＦ処理に関わるマイコン３９内部の概略構成を示すブロック図である。
【００５４】
図５に示すサブ側ソースＯＦＦ処理とは、例えばデュアルモードＯＮ中にサブ側でメディアを再生する再生源、例えばＣＤ再生部やＤＶＤ再生部等からメディアが排出されると、サブ側にて選択中の再生源をＯＦＦすることで、メイン側にて選択中の再生源からの再生信号を、フロント側スピーカ１５Ａはもちろんのこと、リア側スピーカ１５Ｂからも再生出力する処理である。
【００５５】
尚、このサブ側ソースＯＦＦ処理は、デュアルモードＯＮ中にメイン側及びサブ側で夫々異なる再生源を選択していることを前提条件とする。
【００５６】
図５においてマイコン３９の制御部５０は、再生源監視部５１を通じて、サブ側ソースとして選択中の再生源、例えばＣＤ再生部やＤＶＤ再生部等からメディアが排出されたか否かを判定する（ステップＳ１１）。
【００５７】
制御部５０は、サブ側ソースからメディアが排出されたと判定されると、メディアが再生源に挿入されるか、又は他の再生源が選択されるまで、サブ側での再生出力はできなくなることから、このサブ側の再生源をＯＦＦすることで（ステップＳ１２）、ミュート中のリア側スピーカ１５Ｂの再生出力をミュートＯＦＦし（ステップＳ１３）、この処理動作を終了する。
【００５８】
つまり、ステップＳ１３にてリア側スピーカ１５Ｂの再生出力をミュートＯＦＦすることで、メイン側にて選択中の再生源からの再生信号をフロント側スピーカ１５Ａ及びリア側スピーカ１５Ｂから再生出力することになる。その結果、メイン側の音声出力系統で受聴中のユーザは、４台のスピーカ１５から再生信号を受聴することができる。
【００５９】
また、制御部５０は、ステップＳ１１にてサブ側ソースのメディア排出を検出したのでなければ、操作検出部４７を通じて、サブ側ソースのＯＦＦ操作を検出したか否かを判定する（ステップＳ１４）。尚、このサブ側ソースのＯＦＦ操作とは、サブ側操作モードでのサブ側ソースのＯＦＦ操作に相当するものである。
【００６０】
制御部５０は、ステップＳ１４にてサブ側ソースのＯＦＦ操作を検出したのであれば、サブ側ソースをＯＦＦすべく、ステップＳ１２に移行する。
【００６１】
また、制御部５０は、ステップＳ１４にてサブ側ソースのＯＦＦ操作を検出したのでなければ、この処理動作を終了する。
【００６２】
本実施の形態によれば、デュアルモードＯＮ中に、ヘッドホン１６に再生出力中の再生源、例えばＣＤ再生部やＤＶＤ再生部等からメディアの排出を検出すると、このデュアルモードＯＮにてミュート中のリア側スピーカ１５Ｂのミュートを自動的に解除するようにしたので、何等操作を行わずとも、メイン側にて選択中の再生源からの再生信号をフロント側スピーカ１５Ａ及びリア側スピーカ１５Ｂ双方から再生出力することができる。
【００６３】
尚、上記実施の形態においては、サブ側にて選択中の再生源からのメディア排出を検出すると、このデュアルモードＯＮにてミュート中のリア側スピーカ１５Ｂのミュートを自動的に解除するようにしたが、この際のサブ側にて選択中の再生源としては、一枚のメディアを収容する再生源、例えばＣＤ再生部、ＤＶＤ再生部やＭＤ再生部を例にあげて説明した。しかしながら、例えば複数枚のメディアを収容するチェンジャ等の再生源についても適用可能であり、この場合にはチェンジャ内に収容中のメディアが一枚しかしないか否かを判定し、同チェンジャ内からメディアが排出されると、同チェンジャ内に再生対象のメディアがないものと判断し、このデュアルモードＯＮにてミュート中のリア側スピーカ１５Ｂのミュートを自動的に解除するようにしても同様の効果が得られることは言うまでもない。
【００６４】
また、上記実施の形態においては、サブ側にて選択中の再生源の再生停止状態として、同再生源からのメディア排出を例にあげて説明したが、例えば再生源の電源ＯＦＦ操作や再生停止操作等を再生停止状態として検出するようにしてもよく、このような再生停止状態を検出すると、デュアルモードＯＮにてミュート中のリア側スピーカ１５Ｂのミュートを自動的に解除することで、同様の効果が得られることは言うまでもない。
【００６５】
また、上記実施の形態においては、フロント側操作部１３のメイン側操作モード用ＬＥＤ２２Ａ又はサブ側操作モード用ＬＥＤ２２Ｂの点灯表示に基づいて現在設定中の操作モードを認識するようにしたが、例えばサブ側操作モード時においては表示部２１にヘッドホンの絵表示を表示し、メイン側操作モード時においては表示部２１に表示中のヘッドホンの絵表示を消灯するようにしてもよく、このような場合には、ＬＥＤインジケータが無くても、表示部２１のヘッドホン絵表示の有無で設定中の操作モードを認識することができる。
【００６６】
【発明の効果】
上記のように構成された本発明のオーディオ装置によれば、システムモード中に、前記第２出力手段に再生出力中の再生源の再生停止状態を検出すると、このシステムモードにてミュート中の第１出力手段の出力の一部ミュートを自動的に解除するようにしたので、何等操作を行わずとも、第１出力手段の全出力から再生出力することができる。
【００６７】
また、本発明のオーディオ装置によれば、システムモード中に、ヘッドホンに再生出力中の再生源の再生停止状態を検出すると、このシステムモードにてミュート中のリア側スピーカのミュートを自動的に解除するようにしたので、何等操作を行わずとも、フロント側スピーカ及びリア側スピーカ双方から再生出力することができる。
【００６８】
本発明のオーディオ装置によれば、システムモード中に、第２出力手段に再生出力中の再生源からの記録媒体の排出を検出すると、このシステムモードにてミュート中の第１出力手段の出力の一部ミュートを自動的に解除するようにしたので、何等操作を行わずとも、第１出力手段の全出力から再生出力することができる。
【図面の簡単な説明】
【図１】本発明のオーディオ装置に関わる実施の形態を示す車載用オーディオシステムの全体構成を示すシステム構成図である。
【図２】本実施の形態に関わる本体装置のフロント側操作部の正面図である。
【図３】本実施の形態に関わる本体装置内部の概略構成を示すブロック図である。
【図４】本実施の形態に関わる本体装置のマイコン内部の概略構成を示すブロック図である。
【図５】本実施の形態に関わる本体装置１１のサブ側ソースＯＦＦ処理に関わるマイコン内部の処理動作を示すフローチャートである。
【図６】一般的なデュアルメディア機能を備えた車載用オーディオシステムの全体構成を示すシステム構成図である。
【符号の説明】
１１  本体装置（オーディオ装置）
１５  スピーカ（第１出力手段）
１６  ヘッドホン（第２出力手段）
５０  制御部（制御手段）
５１  再生源監視部（再生停止検出手段）
【図１】
2004234725.tif 000003
【図２】
2004234725.tif 000004
【図３】
2004234725.tif 000005
【図４】
2004234725.tif 000006
【図５】
2004234725.tif 000007
【図６】
2004234725.tif 000008